(57)【要約】      （修正有）【課題】ディスク装置内への塵埃の侵入を抑制することができるディスク装置を提供する。【解決手段】ディスク装置は、ディスク１１を保持して回転するターンテーブル５７と、このターンテーブル５７との間でディスク１１を挟持するクランパ６０と、クランパ６０とターンテーブル５７とにより挟持されて回転するディスク１１に対し、情報の記録または再生を行う光学ヘッドとを備える。クランパ６０は、ディスク１１と対向する面と反対側の面において、ディスク１１の回転によって発生するディスク１１の中心から外周に向かう空気の流れに対して抵抗となる凸部（突出部）６２を有している。【選択図】図６
2013004119.tif 000002
【特許請求の範囲】
【請求項１】
ディスクを保持して回転するターンテーブルと、
前記ターンテーブルとの間で前記ディスクを挟持する回転可能なクランパと、
前記クランパと前記ターンテーブルとにより挟持されて回転する前記ディスクに対し、情報の記録または再生を行うヘッドと
を備え、
前記クランパは、前記ディスクと対向する面と反対側の面に、前記ディスクの回転によって発生する前記ディスクの中心から外周に向かう空気の流れに対して抵抗となる突出部を有することを特徴とするディスク装置。
【請求項２】
前記突出部は、前記クランパの外周近傍に配置されていることを特徴とする請求項１に記載のディスク装置。
【請求項３】
複数の前記突出部が、前記クランパの回転円周方向に等間隔に配置されていることを特徴とする請求項１または２に記載のディスク装置。
【請求項４】
前記突出部は、略円柱形状を有することを特徴とする請求項１から３までのいずれか１項に記載のディスク装置。
【請求項５】
前記突出部の突出方向の先端に、曲面を有することを特徴とする請求項４に記載のディスク装置。
【請求項６】
前記突出部は、その突出方向に進むにつれて外径が小さくなる形状を有していることを特徴とする請求項１から５までのいずれか１項に記載のディスク装置。
【請求項７】
前記クランパの前記ディスクと対向する面と反対側の面に、凹状の曲面が形成されていることを特徴とする請求項１に記載のディスク装置。
【請求項８】
前記クランパの前記凹状の曲面は、前記クランパの回転軸を中心とする回転体面であることを特徴とする請求項７に記載のディスク装置。
【請求項９】
前記クランパの前記凹状の曲面は、前記クランパの回転軸上に中心を有する球面であることを特徴とする請求項８に記載のディスク装置。
【請求項１０】
前記クランパの前記凹状の曲面は、前記クランパの回転軸上に短軸を有し、当該回転軸に直交する方向に長軸を有する楕円を、前記クランパの回転軸を中心として回転させた回転体面であることを特徴とする請求項８に記載のディスク装置。
【請求項１１】
前記突出部は、前記クランパの回転円周方向と交差するように延在するリブであることを特徴とする請求項１に記載のディスク装置。
【請求項１２】
前記リブは、前記クランパの外周近傍から内周側に所定の長さで延在することを特徴とする請求項１１に記載のディスク装置。
【請求項１３】
複数の前記リブが、前記クランパの回転円周方向に等間隔に配置されていることを特徴とする請求項１１または１２に記載のディスク装置。
【請求項１４】
前記リブの前記クランパの回転方向の前面は、前記クランパの外周に近づくほど、前記クランパの回転方向に先行するように形成されていることを特徴とする請求項１１から１３までのいずれか１項に記載のディスク装置。
【請求項１５】
前記リブの前記クランパの回転方向の前面は、前記リブの突出方向に進むにつれて前記リブの幅が減少するような傾斜を有することを特徴とする請求項１１から１４までのいずれか１項に記載のディスク装置。
【請求項１６】
前記クランパが、前記ディスクのクランプ領域よりも外周側の領域にも当接するよう構成されていることを特徴とする請求項１から１５までのいずれか１項に記載のディスク装置。
【請求項１７】
ディスクを保持して回転するターンテーブルと、
前記ターンテーブルとの間で前記ディスクを挟持する回転可能なクランパと
を備えたクランプ機構であって、
前記クランパは、前記ディスクと対向する面と反対側の面に、前記ディスクの回転によって発生する前記ディスクの中心から外周に向かう空気の流れに対して抵抗となる突出部を有することを特徴とするディスク装置。
【発明の詳細な説明】
【技術分野】
【０００１】
この発明は、ディスクに対して情報の記録または再生を行うディスク装置に関し、特に、ディスクを回転可能に保持するクランプ機構に関する。
【背景技術】
【０００２】
ディスク装置では、安定した情報の記録または再生を行うため、ディスク（媒体）の記録面や光ピックアップへの塵埃の付着を防止することが必要である。
【０００３】
ここで、近年、ディスクの大容量化に伴い、ディスクのトラックピッチ（隣接する記録トラックの間隔）が狭くなる傾向にある。例えば、ＣＤ（Ｃｏｍｐａｃｔ  Ｄｉｓｃ）では、トラックピッチが１．６μｍであったのに対し、ＤＶＤ（Ｄｉｇｉｔａｌ  Ｖｅｒｓａｔｉｌｅ  Ｄｉｓｃ）では、トラックピッチが０．７４μｍまで狭まり、ＢＤ（Ｂｌｕ−ｒａｙ  Ｄｉｓｃ）では、さらに０．３２μｍまで狭まっている。このようにトラックピッチが狭くなるほど、ディスク装置の再生性能は、塵埃の影響を受けやすくなる。
【０００４】
ディスク装置では、ディスクが回転する際に、ディスクの表面近傍に、ディスクの中心から外周に向かう空気の流れが発生する。そのため、ディスク装置の筺体のディスク中心付近に開口部が設けられていると、その開口部からディスク装置内に空気が流入し、空気と共に塵埃が侵入する可能性がある。このようにディスク装置内に塵埃が侵入すると、塵埃がディスクや光ピックアップのレンズに付着し、再生性能を低下させる要因となる。
【０００５】
ディスクへの塵埃の付着を防止するため、ターンテーブルの外周にフィンを設け、ディスクの記録面に送風することにより、記録面に付着した塵埃を取り除く技術が提案されている（例えば、特許文献１参照）。
【先行技術文献】
【特許文献】
【０００６】
【特許文献１】特開２００２−５６６６３号公報（段落００２６、図４、図５）
【発明の概要】
【発明が解決しようとする課題】
【０００７】
しかしながら、上述した従来のディスク装置では、ディスク装置内への塵埃の侵入を抑制できないため、ディスクの記録面に付着した塵埃を送風により取り除いても、再びディスクの記録面に付着し、または光ピックアップに付着する可能性がある。
【０００８】
この発明は、上述のような問題を解決するためになされたものであり、その目的は、ディスク装置内への塵埃の侵入を抑制することができるディスク装置を提供することにある。
【課題を解決するための手段】
【０００９】
この発明に係るディスク装置は、ディスクを保持して回転するターンテーブルと、ターンテーブルとの間でディスクを挟持する回転可能なクランパと、クランパとターンテーブルとにより挟持されて回転するディスクに対し、情報の記録または再生を行うヘッドとを備え、クランパは、ディスクと対向する面と反対側の面に、ディスクの回転によって発生するディスクの中心から外周に向かう空気の流れに対して抵抗となる突出部を有することを特徴とする。
【発明の効果】
【００１０】
この発明によれば、クランパの突出部により、ディスクの中心から外周に向かう空気の流れに乱れを生じさせることができ、その結果、ディスク装置の開口部からディスク装置内に流入する空気の流量を低減し、これによりディスク装置内への塵埃の侵入を抑制することができる。
【図面の簡単な説明】
【００１１】
【図１】本発明の実施の形態１におけるディスク装置を上方から見た斜視図である。
【図２】本発明の実施の形態１におけるディスク装置の記録再生ユニットを上方から見た斜視図である。
【図３】本発明の実施の形態１におけるディスク装置の記録再生ユニットを下方から見た斜視図である。
【図４】本発明の実施の形態１におけるディスク装置の記録再生ユニットを、クランプ板を取り除いて示す斜視図である。
【図５】本発明の実施の形態１におけるクランパを示す斜視図である。
【図６】本発明の実施の形態１におけるディスク装置のクランプ機構を示す断面図である。
【図７】ディスク回転時の空気の流れを示す図である。
【図８】本発明の実施の形態１のクランパの凸部の他の構成例を示す図である。
【図９】本発明の実施の形態１のクランパの他の構成例を示す斜視図である。
【図１０】本発明の実施の形態２におけるクランパを含むクランプ機構を示す断面図である。
【図１１】本発明の実施の形態２におけるクランパの曲面を説明するための断面図である。
【図１２】本発明の実施の形態２におけるクランパの他の構成例を示す断面図である。
【図１３】本発明の実施の形態３におけるクランパを示す斜視図である。
【図１４】本発明の実施の形態３におけるクランパを示す平面図である。
【図１５】本発明の実施の形態３におけるクランパの他の構成例を示す平面図である。
【図１６】本発明の各実施の形態の変形例を示す断面図である。
【発明を実施するための形態】
【００１２】
実施の形態１．
図１は、実施の形態１におけるディスク装置１０を上方から見た斜視図である。図２は、ディスク装置１０の記録再生ユニット２０を上方から見た斜視図である。図３は、記録再生ユニット２０を下方から見た斜視図である。図４は、クランプ機構を取り除いた記録再生ユニット２０を示す斜視図である。
【００１３】
図１に示すディスク装置１０は、筺体１２と、筺体１２の内部に収容された記録再生ユニット２０（図２）とを有している。記録再生ユニット２０は、光学ヘッド５３（図３）を有し、ディスク１１に対して情報の記録または再生（またはその両方）を行うものである。ここでは、ディスク１１に記録された情報を再生する場合について説明する。ディスク１１は、ＣＤ，ＤＶＤまたはＢＤであるが、他の種類のディスクであってもよい。
【００１４】
図１において、ディスク１１の回転軸の方向を、Ｚ方向とする。Ｚ方向に直交する面（ＸＹ面）において、後述するクランプ板５８の回動軸の方向を、Ｘ方向とする。これらＸ方向およびＺ方向の両方に直交する方向を、Ｙ方向とする。また、Ｚ方向に沿って、光学ヘッド５３からディスク１１に向かう方向を、＋Ｚ方向（上方）とし、その反対方向を−Ｚ方向（下方）とする。また、ディスク１１の＋Ｚ方向の面（上面）はレーベル面であり、−Ｚ方向の面（下面）は記録面である。
【００１５】
記録再生ユニット２０は、図３に示すように、支持ベース５４を有している。支持ベース５４は、ＸＹ面に平行な略板状の部材である。支持ベース５４には、その下側から複数（例えば３個）のダンパピン３１（図４）が圧入されている。ダンパピン３１は、筐体１２の底板に取り付けられた複数（例えば３個）のオイル封入ダンパ３２に保持されており、これにより、支持ベース５４が筺体１２内で保持されている。
【００１６】
図４に示すように、支持ベース５４のＹ方向の一端部の近傍には、ディスク１１を中心で保持し、Ｚ方向の回転軸を中心として回転するターンテーブル５７が配設されている。ターンテーブル５７は、回路基板５２上に設けられた円盤型モータ５２ａの回転軸上に設けられており、円盤型モータ５２ａと同位相で回転する。支持ベース５４には、また、ディスク１１の記録面（−Ｚ側の面）に沿って移動してディスク１１の情報を読み出す、光ピックアップ５３ａを搭載した光学ヘッド５３が設けられている。
【００１７】
図３に示すように、光学ヘッド５３を移動させるため、支持ベース５４には、ターンテーブル５７の近傍から支持ベース５４の基端部（ターンテーブル５７が設けられた端部と反対側の端部）にかけて延在する送りねじ４１が配設され、この送りねじ４１と平行にガイド軸４２が並設されている。光学ヘッド５３は、送りねじ４１に螺合するナット部５３ｂと、ガイド軸４２に係合する被案内部５３ｃとを有している。送りねじ４１がモータ４４（後述）により回転すると、送りねじ４１とナット部５３ｂとの螺合により、光学ヘッド５３がガイド軸４２に沿って（すなわちディスク１１の記録面に沿って）移動する。
【００１８】
支持ベース５４には、ターンテーブル５７に隣接して、モータ支持部材４３が取り付けられている。モータ支持部材４３には、上記の送りねじ４１を回転させるためのモータ４４と、モータ４４の駆動力を送りねじ４１に伝達するギア列４５が設けられている。また、ギア列４５の抜け止めとして、カバー４６が支持部材４３に嵌合している。
【００１９】
支持ベース５４において、光学ヘッド５３の移動範囲に対応する部分には、開口部である情報読み取り窓５４ｄが形成されている。また、支持ベース５４のＸ方向両側には、＋Ｚ方向（上方）に折り曲げられた折り曲げ片５４ｃが形成されている。各折り曲げ片５４ｃのＹ方向端部（ターンテーブル５７側と反対側の端部）には、次に説明するクランプ板５８を回動可能に支持するための支持孔５４ｅが形成されている。
【００２０】
図２に示すように、支持ベース５４の上方（＋Ｚ方向）には、クランプ板５８（クランパアームとも称する）が設けられている。クランプ板５８のＸ方向両側には、−Ｚ方向（下方）に折り曲げられた折り曲げ片５８ｂが形成されており、各折り曲げ片５８ｂには、支持ベース５４の上記支持孔５４ｅに係合する軸部５８ａが形成されている。これにより、クランプ板５８は、支持ベース５４により、Ｘ方向の回動軸を中心として回動可能に支持される。
【００２１】
次に、記録再生ユニット２０において、ディスク１１を回転可能に保持するクランプ機構について説明する。図２に示すように、クランプ板５８は、そのＹ方向一端に回動軸（軸部５８ａ）を有すると共に、Ｙ方向他端に、ディスク１１をターンテーブル５７に押圧して保持するクランパ６０を保持している。クランパ６０は、クランプ板５８に回転可能に取り付けられており、ターンテーブル５７にディスク１１を押圧した状態で、これらと共に回転する。
【００２２】
また、クランプ板５８は、支持ベース５４の端部に設けられた引張コイルバネ５９（図３）により、クランパ６０をターンテーブル５７に対して押圧する方向（図１に矢印Ｂで示す方向）に付勢されている。
【００２３】
ディスク１１のクランプを解除するときには、クランプ板５８は、図示しない駆動機構により、上述した軸部５８ａを中心として矢印Ｂと反対の方向に回動し、クランパ６０をターンテーブル５７から上方に（＋Ｚ方向）に離間させる。このとき、クランプ板５８が筐体１２と干渉しないように、筐体１２の天板には、クランプ板５８が干渉しない形状の開口部１２ａが形成されている。
【００２４】
本明細書では、クランパ６０とターンテーブル５７とを有し、ディスク１１を挟持して回転可能に保持する機構を、クランプ機構と称する。
【００２５】
図５は、実施の形態１におけるクランパ６０の形状を示す斜視図である。図６は、実施の形態１におけるクランパ６０を含むクランプ機構を示す断面図である。図６に示すように、クランパ６０の−Ｚ側の面（ディスク１１に対向する面）の外周近傍には、ディスク１１のクランプ領域１１ａに当接する環状の当接部６１を備えている。
【００２６】
ディスク１１のクランプ領域１１ａは、ディスク１１の記録領域よりも内周側に設けられた領域であり、例えば、ＣＤの場合には直径２６ｍｍ〜３３ｍｍ、ＤＶＤの場合には直径２２ｍｍ〜３３ｍｍ、ＢＤの場合には直径２３．５ｍｍ〜３２．５ｍｍの領域である。クランパ６０の当接部６１とターンテーブル５７は、ディスク１１のクランプ領域１１ａを上下に挟み込んで保持する。
【００２７】
図５に示すように、クランパ６０の＋Ｚ側の面（ディスク１１と対向する面と反対側の面）の中心部には、上述したクランプ板５８に回転可能に保持される回転支持部６３が設けられている。
【００２８】
さらに、クランパ６０の＋Ｚ側の面の外周近傍には、円柱形状の凸部６２（突出部）が形成されている。より具体的には、複数（ここでは８個）の円柱形状の凸部６２が、クランパ６０の回転軸Ａを中心とする円周に沿って（すなわち回転円周方向に）等間隔に配置されている。凸部６２は、ディスク１１の回転時に、クランプ板５８と干渉しない高さに形成されている。
【００２９】
ここでは、凸部６２の外径は、例えば３ｍｍであり、高さは、例えば１．５ｍｍである。また、クランパ６０の天面（凸部６２を除く）とクランプ板５８の底面との間には、３．５ｍｍ程度の空隙が形成される。
【００３０】
ディスク再生時には、図６に示すように、クランパ６０とターンテーブル５７とがディスク１１のクランプ領域１１ａを挟持し、この状態で円盤型モータ５２ａ（図４）が回転する。ターンテーブル５７は、円盤型モータ５２ａと同位相で回転し、ディスク１１はクランパ６０と共に、円盤型モータ５２ａと同位相で回転する。円盤型モータ５２ａは、ディスク１１のトラックピッチに応じた回転数で回転し、ディスク１１の記録面と対向する光学ヘッド５３（図４）により、ディスク１１の記録情報が読み出される。
【００３１】
図７は、ディスク１１の回転に伴って、ディスク１１の表面近傍に発生する空気の流れの一例を示す模式図である。ディスク１１がＺ方向の回転軸Ａを中心に回転すると、図７に示すように、ディスク１１の表面近傍には、ディスク１１の中心から外周に向かう空気の流れが発生する。
【００３２】
ディスク装置１０の筐体１２の天板には開口部１２ａ（図１）が形成されているため、図７のようなディスク１１の中心から外周に向かう空気の流れが発生すると、ディスク１１の中心付近において空気が開口部１２ａから筐体１２に流れ込み、これに伴って塵埃が筺体１２内に侵入する可能性がある。
【００３３】
そこで、本実施の形態では、クランパ６０の上面（ディスク１１と対向する面と反対側の面）に円柱形状の凸部６２を設けている。クランパ６０が回転すると、クランパ６０に形成された円柱形状の凸部６２も回転するため、当該凸部６２が、ディスク１１の中心から外周に向かう空気の流れ（図７）に対して抵抗となり、当該空気の流れに乱れを生じさせる。これにより、開口部１２ａから筐体１２の内部に流入する空気の流量を低減し、塵埃の筺体１２内への侵入を抑制することができる。
【００３４】
また、クランパ６０の外周側ほど周速度が速いため、凸部６２をクランパ６０の外周近傍に形成することにより、ディスク１１の中心から外周に向かう空気の流れに乱れを生じさせる効果が大きくなる。そのため、開口１２ａから筺体１２内に流入する空気の流量を低減する効果が大きくなり、従って筐体１２内への塵埃の侵入を抑制する効果が大きくなる。
【００３５】
また、複数（ここでは８個）の凸部６２を、クランパ６０の回転円周方向に等間隔に配置しているため、クランパ６０のバランスを良好に保つことができ、これにより、ディスク１１を回転させる円盤型モータ５２ａの負荷の増大を抑制することができる。
【００３６】
また、凸部６２が、側面（外周面）にエッジを有さない円柱形状であるため、空気がエッジを通過することによる騒音の発生を抑制することができる。
【００３７】
さらに、クランパ６０に凸部６２を設けるだけで、クランプ機構に他の構成要素を追加する必要がないため、ディスク装置１０内部への塵埃の侵入を抑制する作用効果を、簡単な構成で実現することができる。
【００３８】
以上説明したように、この実施の形態１によれば、クランパ６０のディスク１１と対向する面と反対側の面に、ディスク１１の回転によって発生する空気の流れに対して抵抗となる凸部６２を設けることにより、ディスク１１の中心から外周に向かう空気の流れに乱れを生じさせ、穴部１２ａから筐体１２の内部に流入する空気の流量を低減することができる。そのため、筺体１２の内部への塵埃の侵入を抑制することができる。
【００３９】
なお、ここでは、クランパ６０が円柱形状の凸部６２を有する場合について説明したが、他の形状も可能である。但し、四角柱のように側面にエッジを有する形状の場合には、上記のとおり空気がエッジを通過することによる騒音が発生するため、側面（外周面）が曲面であることが好ましい。
【００４０】
また、図８（Ａ）に示すように、凸部６２の側面（外周面）６２ａと上面６２ｂとの境界部分に曲面（Ｒ）を形成してもよく、また、図８（Ｂ）に示すように、凸部６２の上面６２ｂを半球等の曲面状に形成してもよい。このように、凸部６２を、エッジを有さない形状とすることにより、騒音をさらに抑制することができる。
【００４１】
また、図９（Ａ）に示すように、凸部６２が、＋Ｚ方向に外径が小さくなるように、外周面６２ａにテーパ（傾斜）を有していてもよい。このようなテーパを設けることにより、＋Ｚ方向に向かう空気の流れが増加するため、開口１２ａから筺体１２内に流入する空気の流量を低減する効果が大きくなり、従って筐体１２内への塵埃の侵入を抑制する効果が大きくなる。
【００４２】
また、ここでは、８個の円柱形状の凸部６２を等間隔に配置することとしたが、８個に限定されるものではない。但し、開口１２ａから筺体１２内に流入する空気の流量を十分に低減するためには、３個以上の凸部６２を等間隔に配置することが好ましい。
【００４３】
また、クランパ６０の凸部６２は、クランパ６０の外周近傍に形成することが好ましいが、これに限定されるものではない。また、例えば、図９（Ｂ）に示すように、クランパ６０の外周近傍の凸部６２よりも内側に、クランパ６０の回転軸Ａを中心とする円周上に等間隔に３個以上の凸部を追加すれば、筺体１２の内部に流入する空気の流量を低減させる効果がさらに大きくなる。
【００４４】
実施の形態２．
図１０は、実施の形態２におけるディスク装置のクランパ７０を含むクランプ機構を示す断面図である。実施の形態１と同様の構成要素には、同一の符号を付す。
【００４５】
図１０に示すように、この実施の形態２におけるクランパ７０の＋Ｚ側の面（ディスク１１と対向する面と反対側の面）は、クランプ板５８に支持される回転支持部７３を除き、凹状の曲面７２を構成している。この曲面７２は、クランパ７０の回転軸Ａを中心とした回転対称な曲面である。
【００４６】
図１１は、クランパ７０の曲面７２の形状を説明するための図である。曲面７２は、クランパ７０の＋Ｚ側で、且つクランパ７０の回転軸Ａ上に位置する任意の点Ｐを中心とした球面である。ここでは、球の半径は、例えば１２０ｍｍである。他の構成は、実施の形態１と同様である。
【００４７】
ディスク再生時には、図１０に示すように、クランパ７０とターンテーブル５７とがディスク１１のクランプ領域１１ａを挟持し、この状態で円盤型モータ５２ａ（図４）が回転する。ターンテーブル５７は、円盤型モータ５２ａと同位相で回転し、ディスク１１はクランパ７０と共に、円盤型モータ５２ａと同位相で回転する。円盤型モータ５２ａは、ディスク１１のトラックピッチに応じた回転数で回転し、ディスク１１の記録面と対向する光学ヘッド５３（図４）により、ディスク１１の記録情報が読み出される。
【００４８】
ディスク１１が回転すると、実施の形態１で説明したようにディスク１１の中心から外周に向かう空気の流れが形成されようとするが、クランパ７０が凹状の曲面７２を有しており、外周側ほど高さ（＋Ｚ方向の突出量）が高くなるため、＋Ｚ方向に向かう空気の流れを生じさせることができる。その結果、ディスク１１の中心から外周に向かう空気の流れに乱れを生じさせ、穴部１２ａから筐体１２の内部に流入する空気の流量を低減することができる。
【００４９】
以上説明したように、この実施の形態２によれば、クランパ７０のディスク１１と対向する面と反対側の面に凹状の曲面７２を設けることにより、ディスク１１の回転によって発生する空気の流れに乱れを生じさせることができ、穴部１２ａから筐体１２の内部に流入する空気の流量を低減することができる。その結果、筺体１２の内部への塵埃の侵入を抑制することができる。
【００５０】
特に、曲面７２が、クランパ７０の＋Ｚ側でクランパ７０の回転軸上に位置する任意の点Ｐを中心とした球面であるため、加工が容易であり、また、不連続な部分がないため騒音の発生を抑制することができる。
【００５１】
図１２は、実施の形態２のクランパ７０の別の構成例を示す断面図である。図１２に示す構成例では、曲面７２は、Ｚ軸上に短軸を有し、Ｚ軸に直交する方向に長軸を有する楕円形を、Ｚ軸を中心として回転させた回転体面の下側（−Ｚ側）半分で構成されている。曲面７２がこのような形状を有することにより、ディスク１１の中心から外周に向かう空気の流れに乱れを生じさせることができ、筺体１２の開口部１２ａから流入する空気の流量を低減することができる。加えて、図１０および図１１に示した球面形状に比べて、クランパ７０の慣性モーメントを小さくすることができるため、円盤型モータ５２ａの負荷を低減することができる。
【００５２】
なお、クランパ７０の曲面７２は、上述した球面形状（図１０，図１１）または楕円形を回転させた形状（図１２）に限らず、他の凹状の曲面、例えば円錐面であってもよい。但し、上述した球面形状等（図１０〜図１２）は、外周側ほど角度（勾配）が急になるため、＋Ｚ方向に向かう空気の流れを生じさせる効果が大きい点で有利である。
【００５３】
実施の形態３．
図１３および図１４は、実施の形態３におけるディスク装置のクランパの構成を示す斜視図および平面図である。実施の形態１または２で説明した構成要素と同一の構成要素には、同一の符号を付す。
【００５４】
図１３に示すように、実施の形態３におけるクランパ８０は、＋Ｚ側の面（ディスク１１と対向する面と反対側の面）に、複数のリブ８２（突出部）を有している。ここでは、８個のリブ８２が、クランパ８０の回転円周方向に等間隔で配置されている。各リブ８２は、クランパ８０の回転円周方向に対して交差するように（より好ましくは、略放射状に）延在している。より具体的には、リブ８２は、クランパ８０の外周近傍から内周に向けて所定の長さに延在し、内周側と外周側にそれぞれ端面８２ａ，８２ｂを有している。また、リブ８２は、ディスク１１の回転時にクランプ板５８と干渉しない高さに形成されている。
【００５５】
図１４の平面図に示すように、クランパ８０の回転方向（Ｒ方向）におけるリブ８２の前面８２ｄは、クランパ８０の外周に近づくほど、クランパ８０の回転方向（Ｒ方向）に先行するように形成されている。言い換えると、リブ８２の前面８２ｄに沿って線分Ｔを規定し、この線分Ｔの延長線がクランパ８０の外周と交差する点をＳとし、この点Ｓでのクランパ８０の外周の接線をＱとすると、線分Ｔと接線Ｑとのなす角度Ｄが鈍角（＞９０°）となるように、リブ８２が形成されている。
【００５６】
図１３において、リブ８２の長さＬは、例えば７ｍｍであり、幅Ｗは、例えば１．５ｍｍであり、高さＨは、例えば１ｍｍである。なお、リブ８２のディスク１１の回転方向の前面８２ｄのエッジに曲面を形成することが好ましく、クランパ８０の回転時の騒音を低減することができる。
【００５７】
ディスク再生時には、クランパ８０とターンテーブル５７とがディスク１１のクランプ領域１１ａを挟持し、この状態で円盤型モータ５２ａ（図４）が回転する。ターンテーブル５７は、円盤型モータ５２ａと同位相で回転し、ディスク１１はクランパ８０と共に、円盤型モータ５２ａと同位相で回転する。円盤型モータ５２ａは、ディスク１１のトラックピッチに応じた回転数で回転し、ディスク１１の記録面と対向する光学ヘッド５３（図４）により、ディスク１１の記録情報が読み出される。
【００５８】
ディスク１１が回転すると、実施の形態１で説明したようにディスク１１の中心から外周に向かう空気の流れが形成されようとするが（図７参照）、クランパ８０のリブ８２も同時に回転するため、このリブ８２がディスク１１の中心から外周に向かう空気の流れに対して抵抗となり、当該空気の流れに乱れを生じさせる。その結果、穴部１２ａから筐体１２の内部に流入する空気の流量を低減し、筺体１２内への空気の流入に伴う塵埃の侵入を抑制することができる。
【００５９】
また、クランパ８０の回転方向（Ｒ方向）におけるリブ８２の前面８２ｄが、クランパ８０の外周に近づくほどクランパ８０の回転方向（Ｒ方向）に先行するように形成されている（すなわち、上述した線分Ｔと接線Ｑとのなす角度Ｄが鈍角である）ため、ディスク１１の中心から外周に向かう空気の流れに対する抵抗が大きく、従って空気の流れに乱れを生じさせる効果が大きい。その結果、筺体１２の開口部１２ａから筐体１２内に流入する空気の流量をさらに低減し、より効果的に塵埃の侵入を抑制することができる。
【００６０】
また、実施の形態１でも説明したように、クランパ８０の外周側ほど周速度が速いため、リブ８２をクランパ８０の外周近傍に形成することにより、ディスク１１の中心から外周に向かう空気の流れに乱れを生じさせる効果が大きくなる。
【００６１】
また、複数（ここでは８個）のリブ８２を、クランパ８０の回転円周方向に等間隔に配置しているため、クランパ８０のバランスを良好に保つことができる。そのため、ディスク１１を回転させる円盤型モータ５２ａの負荷の増大を抑制することができる。なお、ここでは８個のリブ８２を設けているが、８個に限定されるものではない。但し、開口１２ａから筺体１２内に流入する空気の流量を十分に低減するためには、３個以上のリブ８２を等間隔に配置することが好ましい。
【００６２】
以上説明したように、この実施の形態３によれば、クランパ８０のディスク１１と対向する面と反対側の面に、ディスク１１の回転によって発生する空気の流れに対して抵抗となるリブ８２を設けることにより、ディスク１１の中心から外周に向かう空気の流れに乱れを生じさせ、穴部１２ａから筐体１２の内部に流入する空気の流量を低減することができる。その結果、筺体１２の内部への塵埃の侵入を抑制することができる。
【００６３】
図１５は、実施の形態３におけるリブ８２の他の構成例を示す斜視図である。図１５に示す変形例では、クランパ８０の回転方向（Ｒ方向）におけるリブ８２の前面８２ｄは、クランパ８０から遠ざかるにつれて（すなわち＋Ｚ方向に進むにつれて）リブ８２の幅Ｗが狭くなるようなテーパ８５（傾斜）を有している。このようなテーパ８５を設けることにより、ディスク１１の中心から外周に向かう空気の流れに対する抵抗を大きくすることに加えて、テーパ８５に沿って＋Ｚ方向の空気の流れを発生させることができる。その結果、筺体１２の開口部１２ａから筐体１２内に流入する空気の流量をより効果的に低減し、塵埃の侵入を抑制することができる。
【００６４】
本発明は、上述した実施の形態１〜３に限定されるものではなく、適宜、変形が可能である。
例えば、上述した実施の形態１〜３では、クランパ６０，７０，８０は、それぞれターンテーブル５７との間で、ディスク１１の内周側のクランプ領域１１ａを挟持している。しかしながら、クランパ６０，７０，８０は、ディスク１１の記録面（下面）と反対側のレーベル面に当接するため、クランパ６０，７０，８０がクランプ領域１１ａよりも外周側に当接しても、情報の読み取りに影響はない。
【００６５】
そこで、クランパ６０，７０，８０が、ディスク１１のクランプ領域１１ａよりも外周側の領域にも当接するよう、クランパ６０，７０，８０の直径を拡大してもよい。図１６には、一例として、実施の形態１におけるクランパ６０の直径を拡大した変形例を示す。このように直径を拡大したクランパ６０の外周近傍に凸部６２を設ければ、開口部１２ａから筐体１２内に流入する空気の流量をより効果的に低減し、塵埃の侵入をより効果的に抑制することができる。実施の形態２，３のクランパ７０，８０についても同様である。
【００６６】
本発明は、例えば、ディスクに対して情報の記録、再生またはその両方を行うディスク装置（例えば、車載用のディスク装置）に適用することができる。
【符号の説明】
【００６７】
１０  ディスク装置、  １１  ディスク、  １１ａ  クランプ領域、  １２  筐体、  １２ａ  穴、  ２０  記録再生ユニット、  ３１  ダンパピン、  ３２  ダンパ、  ５３  光学ヘッド（ヘッド）、  ５４  支持ベース、  ５４ｄ  読み取り窓、  ５４ｅ  孔、  ５７  ターンテーブル、  ５８  クランプ板、  ５８ａ  軸部、  ５８ｄ  折り曲げ片、  ５９  引張コイルバネ、  ５２  回路基板、  ５２ａ  円盤型モータ、  ５３  読取手段、  ４１  送りねじ軸、  ４２  ガイド軸、  ４３  支持部材、  ４４  モータ、  ４５  ギア列、  ４６  カバー、  ６０  クランパ、  ６２  凸部（突出部）、  ６３  回転支持部、  ７０  クランパ、  ７２  曲面、  ７３  回転支持部、  ８０  クランパ、  ８２  リブ（突出部）、  ８２ｄ  前面、  ８３  回転支持部、  ８５  テーパ。
【図１】
2013004119.tif 000003
【図２】
2013004119.tif 000004
【図３】
2013004119.tif 000005
【図４】
2013004119.tif 000006
【図５】
2013004119.tif 000007
【図６】
2013004119.tif 000008
【図７】
2013004119.tif 000009
【図８】
2013004119.tif 000010
【図９】
2013004119.tif 000011
【図１０】
2013004119.tif 000012
【図１１】
2013004119.tif 000013
【図１２】
2013004119.tif 000014
【図１３】
2013004119.tif 000015
【図１４】
2013004119.tif 000016
【図１５】
2013004119.tif 000017
【図１６】
2013004119.tif 000018